(57)【特許請求の範囲】
【請求項１】
光スイッチを介して１台の第１のＯＬＴに光信号を送信し、第１群に所属する複数の送信側ＯＮＵと、
前記複数の送信側ＯＮＵが送信した光信号を前記光スイッチを介して受信する１台の第１のＯＬＴと、
前記第１群に所属する複数の送信側ＯＮＵと前記第１のＯＬＴの間に挿入され、前記第１のＯＬＴに障害が発生した場合、前記送信側ＯＮＵから前記第１のＯＬＴへの伝送経路を前記第１群に所属する複数の送信側ＯＮＵから第２群に所属する複数の転送側ＯＮＵへの伝送経路へ切り替え、前記第１群に所属する複数の送信側ＯＮＵのうちいずれか１台の前記送信側ＯＮＵが送信した光信号を１台の前記転送側ＯＮＵに伝送する前記光スイッチと、
前記光スイッチから伝送され、前記第１群に所属する送信側ＯＮＵから受信した光信号を第２のＯＬＴへ転送する前記第２群に所属する転送側ＯＮＵと、
前記第２群に所属する転送側ＯＮＵが転送した光信号を受信する前記第２のＯＬＴと、
を備える光アクセスネットワークシステム。
【請求項２】
前記光スイッチと前記第２群に所属する複数の転送側ＯＮＵの間に挿入され、前記第１群に所属する複数の送信側ＯＮＵから前記第２群に所属する複数の転送側ＯＮＵへのＯＮＵ間伝送経路と前記複数の転送側ＯＮＵから前記第２のＯＬＴへの第２のＯＬＴ間伝送経路とを周期的なタイミングで切り替える転送用光スイッチをさらに備える
ことを特徴とする請求項１に記載の光アクセスネットワークシステム。
【請求項３】
前記転送側ＯＮＵは、
前記第２のＯＬＴからの光信号を受信する光受信部と、
前記第１群に所属する複数の送信側ＯＮＵからの光信号を前記第２のＯＬＴへ転送する光信号転送部と、
光信号を、前記転送用光スイッチと同じタイミングで前記光受信部と前記光信号転送部に振り分ける光信号振分部と、を備える
ことを特徴とする請求項２に記載の光アクセスネットワークシステム。
【請求項４】
第１群に所属する複数の送信側ＯＮＵ及び１台の第１のＯＬＴが接続されているネットワークと第２群に所属する転送側ＯＮＵ及び第２のＯＬＴが接続されているネットワークとが光スイッチを介して接続されている光アクセスネットワークシステムの伝送経路切替方法であって、
前記第１群に所属する複数の送信側ＯＮＵが、前記光スイッチを介して１台の第１のＯＬＴに光信号を１台の第１のＯＬＴへ送信し、前記１台の第１のＯＬＴが、送信した光信号を前記光スイッチを介して受信する第１のＯＬＴ受信手順と、
前記第１のＯＬＴに障害が発生した場合、前記光スイッチが、前記送信側ＯＮＵから前記第１のＯＬＴへの伝送経路を前記第１群に所属する複数の送信側ＯＮＵから第２群に所属する複数の転送側ＯＮＵへの伝送経路へ切り替え、前記第１群に所属する複数の送信側ＯＮＵのうちいずれか１台の前記送信側ＯＮＵが送信した光信号を１台の前記転送側ＯＮＵに伝送する光信号伝送経路切替手順と、
前記第２群に所属する転送側ＯＮＵが、前記第１群に所属する送信側ＯＮＵから受信した光信号を前記第２のＯＬＴへ転送し、前記第２のＯＬＴが、転送された光信号を受信する第２のＯＬＴ受信手順と、
を順に有する光アクセスネットワークシステムの伝送経路切替方法。
【発明の詳細な説明】
【技術分野】
【０００１】
本発明は、エラスティック光アグリゲーションネットワークに関するものであり。ＯＮＵと複数のＯＬＴとが１対多接続されるとともに、ＯＮＵと複数のＯＬＴとの間に光スイッチを備えた光アクセスネットワークを１つの単位として、光スイッチを介して、複数の光アクセスネットワークを接続し、ＯＬＴが故障した場合に、光スイッチを周期的に切り替えることにより、当該ＯＬＴ配下のＯＮＵと他のＯＬＴ配下のＯＮＵとを周期的なタイミングで接続し、当該ＯＬＴ配下のＯＮＵのパケットを他のＯＬＴ配下のＯＮＵに中継させることを特徴とする光アクセスネットワークシステム及び伝送経路切替方法に関する。
【背景技術】
【０００２】
近年、光アクセスネットワーク技術の発展に伴い、大容量伝送経路を使用したネットワーク技術の研究が盛んに行われている。ここで、近年の取り組みとして、ネットワークが提供する固定的な容量に合わせて、サービス利用を中心に各々の情報システムの連携を設計するというネットワークオリエンテッドなサービス開発の指向から、サービスに必要となる容量を提供するというサービスオリエンテッドなネットワーク利用に対応したサービス開発の指向へシフトしつつある。
【０００３】
ネットワーク技術の開発において、ネットワークオリエンテッドなサービス開発の指向から、サービスオリエンテッドへのシフトと相まって、サービスが要求する回線容量は日々増大を続けている。ここで、関連技術では、ＯＮＵ（Ｏｐｔｉｃａｌ  Ｎｅｔｗｏｒｋ  Ｕｎｉｔ）に対し接続可能なＯＬＴ（Ｏｐｔｉｃａｌ  Ｌｉｎｅ  Ｔｅｒｍｉｎａｌ）が複数あり、ＯＬＴ及びＯＮＵ間の接続関係の変更が可能なトラフィックの分散及び集約を図ることができる。ここで、図７に関連技術の光アクセス系の構成を示す。関連技術の光アクセス系では、通常１台のＯＬＴ１０Ａが３２台（３２ユーザー）のＯＮＵ２０をサポートしている。
【先行技術文献】
【非特許文献】
【０００４】
【非特許文献１】佐藤丈博  他、「低光損失および高信頼性を備えた大規模光スイッチネットワークの設計手法」、信学技報ＰＮ２０１０−５４、２０１１年２月２８日
【発明の概要】
【発明が解決しようとする課題】
【０００５】
関連技術の光アクセス系に係る技術は、電話局内の設備に適応されている。このため、故障確率は低いため、一般的にＯＬＴ１０Ａを２重化させて故障に対応している。しかし、大規模な災害等があると、ＯＬＴ１０Ａもしくは電話局舎の損害によりアクセスが不可能であることがある。中継系の場合は、複数の迂回ルートを使うことができる一方、光アクセス系の場合は長期間に渡りサービスの中断を生むという課題があった。
【０００６】
前記課題を解決するために、本発明は、故障したＯＬＴの復旧を待たずに光スイッチを切り替えることで光信号の通信を中断させることなく光信号の伝送を維持することが可能な光アクセスネットワーク、転送側ＯＮＵ及び伝送経路切替方法を提供することを目的とする。
【課題を解決するための手段】
【０００７】
上記目的を達成するために、本願発明の一方のネットワークに所属するＯＬＴ１０Ａが故障した場合、光スイッチで伝送経路を切り替えることで他方のネットワークに所属するＯＬＴ１０Ｂを共用する。
【０００８】
具体的には、本発明に係る光アクセスネットワークシステムは、
光スイッチを介して１台の第１のＯＬＴに光信号を送信し、第１群に所属する複数の送信側ＯＮＵと、
前記複数の送信側ＯＮＵが送信した光信号を前記光スイッチを介して受信する１台の第１のＯＬＴと、
前記第１群に所属する複数の送信側ＯＮＵと前記第１のＯＬＴの間に挿入され、前記第１のＯＬＴに障害が発生した場合、前記送信側ＯＮＵから前記第１のＯＬＴへの伝送経路を前記第１群に所属する複数の送信側ＯＮＵから第２群に所属する複数の転送側ＯＮＵへの伝送経路へ切り替え、前記第１群に所属する複数の送信側ＯＮＵのうちいずれか１台の前記送信側ＯＮＵが送信した光信号を１台の前記転送側ＯＮＵに伝送する前記光スイッチと、
前記光スイッチから伝送され、前記第１群に所属する送信側ＯＮＵから受信した光信号を第２のＯＬＴへ転送する前記第２群に所属する転送側ＯＮＵと、
前記第２群に所属する転送側ＯＮＵが転送した光信号を受信する前記第２のＯＬＴとを備える。
【０００９】
本発明に係る光アクセスネットワークシステムでは、
前記光スイッチと前記第２群に所属する複数の転送側ＯＮＵの間に挿入され、前記第１群に所属する複数の送信側ＯＮＵから前記第２群に所属する複数の転送側ＯＮＵへのＯＮＵ間伝送経路と前記複数の転送側ＯＮＵから前記第２のＯＬＴへの第２のＯＬＴ間伝送経路とを周期的なタイミングで切り替える転送用光スイッチをさらに備えてもよい。
【００１０】
本発明に係る光アクセスネットワークシステムでは、
前記転送側ＯＮＵは、
前記第２のＯＬＴからの光信号を受信する光受信部と、
前記第１群に所属する複数の送信側ＯＮＵからの光信号を前記第２のＯＬＴへ転送する光信号転送部と、
光信号を、前記転送用光スイッチと同じタイミングで前記光受信部と前記光信号転送部に振り分ける光信号振分部とを備えてもよい。
【００１１】
本発明に係る転送側ＯＮＵは、
宛先の記載されたパケットの光信号を電気信号に変換し、ＭＡＣ確認部へ出力するパケット受信部と、
前記パケット受信部からの電気信号を用いて前記パケットの宛先を確認し、前記パケットの宛先が前記第２のＯＬＴ宛の場合は上りパケット蓄積部に出力する前記ＭＡＣ確認部と、
前記ＭＡＣ確認部から出力された前記パケットを蓄積する前記上りパケット蓄積部と、
前記上りパケット蓄積部に蓄積されたパケットを光信号に変換して前記第２のＯＬＴに転送するパケット転送部とを備える。
【００１２】
本発明に係る転送側ＯＮＵでは、
光信号を電気信号に変換し、受信ＯＮＵ切替部に出力する光信号受信部と、
周期的なタイミングで接続先を切り替えることで、前記光信号受信部からの電気信号を折り返し信号蓄積部に出力する前記受信ＯＮＵ切替部と、
前記受信ＯＮＵ切替部からの電気信号を蓄積する前記折り返し信号蓄積部と、
前記折り返し信号蓄積部に蓄積された電気信号を光信号に変換して前記第２のＯＬＴに転送する光信号転送部とを備えてもよい。
【００１３】
具体的には、本発明に係る光アクセスネットワークシステムの伝送経路切替方法は、
第１群に所属する複数の送信側ＯＮＵ及び１台の第１のＯＬＴが接続されているネットワークと第２群に所属する転送側ＯＮＵ及び第２のＯＬＴが接続されているネットワークとが光スイッチを介して接続されている光アクセスネットワークシステムの伝送経路切替方法であって、
前記第１群に所属する複数の送信側ＯＮＵが、前記光スイッチを介して１台の第１のＯＬＴに光信号を１台の第１のＯＬＴへ送信し、
前記１台の第１のＯＬＴが、送信した光信号を前記光スイッチを介して受信する第１のＯＬＴ受信手順と、
前記第１のＯＬＴに障害が発生した場合、前記光スイッチが、前記送信側ＯＮＵから前記第１のＯＬＴへの伝送経路を前記第１群に所属する複数の送信側ＯＮＵから第２群に所属する複数の転送側ＯＮＵへの伝送経路へ切り替え、前記第１群に所属する複数の送信側ＯＮＵのうちいずれか１台の前記送信側ＯＮＵが送信した光信号を１台の前記転送側ＯＮＵに伝送する光信号伝送経路切替手順と、
前記第２群に所属する転送側ＯＮＵが、前記第１群に所属する送信側ＯＮＵから受信した光信号を前記第２のＯＬＴへ転送し、前記第２のＯＬＴが、転送された光信号を受信する第２のＯＬＴ受信手順とを順に有する。
【００１４】
なお、上記各発明は、可能な限り組み合わせることができる。
【発明の効果】
【００１５】
本発明によれば、故障したＯＬＴの復旧を待たずに光スイッチを切り替えることで光信号の通信を中断させることなく光信号の伝送を維持することができる。
【図面の簡単な説明】
【００１６】
【図１】本実施形態における光アクセスネットワークシステムの構成例を示すブロック図。
【図２】本実施形態における故障時のパケット転送経路の一例を示す光アクセスネットワークシステムのブロック図。
【図３】本実施形態におけるパターン１のＯＮＵ内での折り返し機能例を示すブロック図。
【図４】本実施形態におけるパターン２のＯＮＵ内での折り返し機能例を示すブロック図。
【図５】第２の実施形態における隣接したＯＮＵ同士でパケットを中継するための構成例を示すブロック図。
【図６】第３の実施形態における救済用ＯＬＴを備えた構成例を示すブロック図。
【図７】関連技術における光アクセス網を示すブロック図。
【発明を実施するための形態】
【００１７】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１８】
本実施形態に係る光アクセスネットワークシステムは、第１群に所属する送信側ＯＮＵとして機能するＯＮＵ２０−Ａ１〜ＯＮＵ２０−Ａ８と、第２群に所属する転送側ＯＮＵとして機能するＯＮＵ２０−Ｂ１〜ＯＮＵ２０−Ｂ８と、第１のＯＬＴとして機能するＯＬＴ１０Ａと、第２のＯＬＴとして機能するＯＬＴ１０Ｂとを備える。
【００１９】
第１のＯＬＴとして機能するＯＬＴ１０Ａは、光スイッチ３０Ａ−１を備えるＯＬＴ１０Ａ間伝送経路を介してＯＮＵ２０−Ａ１〜ＯＮＵ２０−Ａ８と接続され、第２のＯＬＴとして機能するＯＬＴ１０Ｂは、転送用光スイッチとして機能する光スイッチ３０Ｂ−１を備えるＯＬＴ１０Ｂ間伝送経路を介してＯＮＵ２０−Ｂ１〜ＯＮＵ２０−Ｂ８と接続される。ＯＮＵ２０−Ａ１〜ＯＮＵ２０−Ａ８及びＯＮＵ２０−Ｂ１〜ＯＮＵ２０−Ｂ８は、光スイッチ３０Ａ−１及び光スイッチ３０Ｂ−１を備えるＯＮＵ間伝送経路を介して接続される。
【００２０】
本実施形態に係る光アクセスネットワークシステムの伝送経路切替方法は、ＯＮＵ２０−Ａ１〜ＯＮＵ２０−Ａ８及びＯＬＴ１０Ａが接続されているネットワークとＯＮＵ２０−Ｂ１〜ＯＮＵ２０−Ｂ８及びＯＬＴ１０Ｂが接続されているネットワークとが光スイッチ３０Ａ−１及び光スイッチ３０Ｂ−１を介して接続されている光アクセスネットワークシステムの伝送経路切替方法である。
伝送経路切替方法は、第１のＯＬＴ受信手順と、光信号伝送経路切替手順と、第２のＯＬＴ受信手順とを順に有する。
光信号伝送経路切替手順では、ＯＮＵ２０−Ａ１〜ＯＮＵ２０−Ａ８が光スイッチ３０Ａ−１を介してＯＬＴ１０Ａへ送信し、ＯＬＴ１０Ａが光信号を受信する。ＯＬＴ１０Ａに障害が発生した場合、光信号伝送経路切替手順を実行する。
光信号伝送経路切替手順では、光スイッチ３０Ａ−１が、ＯＮＵ２０−Ａ１〜ＯＮＵ２０−Ａ８からＯＬＴ１０Ａへの伝送経路をＯＮＵ２０−Ａ１〜ＯＮＵ２０−Ａ８からＯＮＵ２０−Ｂ１〜ＯＮＵ２０−Ｂ８への伝送経路へ切り替る。そして、ＯＮＵ２０−Ａ１〜ＯＮＵ２０−Ａ８のうちいずれか１台が送信した光信号をいずれか１台のＯＮＵ２０−Ｂ１〜ＯＮＵ２０−Ｂ８に伝送する。
第２のＯＬＴ受信手順では、ＯＮＵ２０−Ｂ１〜ＯＮＵ２０−Ｂ８が、ＯＮＵ２０−Ａ１〜ＯＮＵ２０−Ａ８から受信した光信号をＯＬＴ１０Ｂへ転送し、ＯＬＴ１０Ｂが、転送された光信号を受信する。
【００２１】
（第１の実施形態）
図１に本発明の第１の実施形態における構成例を説明し、図２にその故障時の動作を説明した。図１及び図２を用いて本実施形態に係る発明の動作を説明する。
【００２２】
図１の構成例では、光アクセスネットワークシステムは、ＯＬＴ１０Ａ、ＯＬＴ１０Ｂ、光スイッチ３０Ａ−１〜光スイッチ３０Ａ−２、光スイッチ３０Ｂ−１〜光スイッチ３０Ｂ−２、スプリッタ４１Ａ、スプリッタ４１Ｂ、スプリッタ４２Ａ−１、スプリッタ４２Ａ−２、スプリッタ４２Ｂ−１、スプリッタ４２Ｂ−２、ＯＮＵ２０−Ａ１〜ＯＮＵ２０−Ａ８及びＯＮＵ２０−Ｂ１〜ＯＮＵ２０−Ｂ８を備える。
【００２３】
本実施形態では、ＯＮＵ２０−Ａ１〜ＯＮＵ２０−Ａ８は、光スイッチ３０Ａ−１を介してＯＬＴ１０Ａと接続されている。スプリッタ４１Ａは、ＯＬＴ１０Ａと光スイッチ３０Ａ−１〜光スイッチ３０Ａ−２間の伝送経路を分岐又は合波し、スプリッタ４２Ａ−１は、ＯＮＵ２０−Ａ１〜ＯＮＵ２０−Ａ８と光スイッチ３０Ａ−１間の伝送経路を分岐又は合波する。
【００２４】
また、光スイッチ３０Ａ−１は、伝送経路を切り替えることで転送用光スイッチとして機能する光スイッチ３０Ｂ−１と接続される。ＯＮＵ２０−Ａ１は、光スイッチ３０Ａ−１及び光スイッチ３０Ｂ−１を介してＯＮＵ２０−Ｂ１と接続できる。ここで、ＯＬＴ１０ＡとＯＬＴ１０Ｂは、互いに情報を同期している。
【００２５】
転送用光スイッチとして機能する光スイッチ３０Ｂ−１は、光スイッチ３０Ａ−１を介してＯＮＵ２０−Ａ１〜ＯＮＵ２０−Ａ８とＯＮＵ２０−Ｂ１〜ＯＮＵ２０−Ｂ８間のＯＮＵ間伝送経路を接続し、ＯＮＵ２０−Ｂ１〜ＯＮＵ２０−Ｂ８とＯＬＴ１０Ｂ間のＯＬＴ１０Ｂ間伝送経路を接続する。転送用光スイッチとして機能する光スイッチ３０Ｂ−１は、ＯＮＵ間伝送経路とＯＬＴ１０Ｂ間伝送経路とを予め定められたタイミングで切り替える。
【００２６】
図２は、図１のＯＮＵ２０−Ａ１〜ＯＮＵ２０−Ａ８、ＯＮＵ２０−Ｂ１〜ＯＮＵ２０−Ｂ８に着目した図である。図２において、正常時はＯＬＴ１０ＡがＯＮＵ２０−Ａ１〜ＯＮＵ２０−Ａ８をサポートしている。各光スイッチは、ＯＬＴ１０Ａ又はＯＬＴ１０Ｂにより同期しており、またペアとなる各ＯＬＴは、別線で同期して運転されている。
【００２７】
故障時には、図２にあるように、ある期間では、ＯＮＵ２０−Ａ１〜ＯＮＵ２０−Ａ３２からＯＬＴ１０Ａではなく、ＯＮＵ２０−Ｂ１〜ＯＮＵ２０−Ｂ３２への通信が行えるようになっている。一般的にＯＬＴ／ＯＮＵ間は、お互いにフレームを知っており、故障時は、一時的にＯＮＵは自律運転をしてフレームを認識しており、先に示した光スイッチの切り替えタイミングを推定することができる。
【００２８】
１つのＯＮＵへの負担を避けるために本実施形態では、ＯＮＵ２０−Ａ１はＯＮＵ２０−Ｂ１といったように対向するＯＮＵを予め決めておく。ＯＮＵ２０−Ａ１とＯＮＵ２０−Ｂ１は、単純なパケットの送受を行なっており、ＯＮＵ２０−Ｂ１がＯＮＵ２０−Ａ１のパケットを一時蓄積してＯＬＴ１０Ｂに転送する。
【００２９】
ＯＬＴ１０ＢからのパケットもＯＮＵ２０−Ｂ１が一時蓄積し、ＯＮＵ２０−Ａ１に転送する。このようにＢ１〜Ｂ３２は、転送中継を行なう機能である。通常、ＯＬＴ−ＯＮＵ間はレンジング、ディスカバリーといった機能がある。しかし、あくまでもＯＮＵ２０−Ｂ１〜ＯＮＵ２０−Ｂ３２が、故障しているＯＬＴ１０Ａを救済するためのパケット中継を行なうのみである。
【００３０】
具体的には、図２における、ＯＮＵ２０−Ａ１〜ＯＮＵ２０−Ａ８は、ＯＬＴ１０Ａと接続している構成例であって、ＯＬＴ１０Ａが故障した場合を説明する。ここで、ＯＬＴ１０Ａは、ＯＮＵ２０−Ａ１〜ＯＮＵ２０−Ａ８を収容している。また、本実施形態では、１つのＯＮＵへの負担を避けるためにＯＮＵ２０−Ａ１はＯＮＵ２０−Ｂ１といったように対向するＯＮＵを予め決めておく。
【００３１】
ＯＮＵ２０−Ａ１は、宛先とするＯＬＴ１０Ｂに光信号を送信する場合、上位ネットワークに転送するため収容しているＯＬＴ１０Ａに光信号を送信する。しかし、図２における構成例では、ＯＬＴ１０Ａの故障が発生している。
【００３２】
このとき、光スイッチ３０Ａ−１は、ＯＬＴ１０Ａから光スイッチ３０Ｂ−１へ接続するように伝送経路を切り替える。また、転送用光スイッチとして機能する光スイッチ３０Ｂ−１は、ＯＮＵ２０−Ｂ１〜ＯＮＵ２０−Ｂ８への接続経路を周期的なタイミングで接続することが可能である。このため、ＯＮＵ２０−Ａ１がＯＬＴ１０Ｂを宛先として送信した光信号は、光スイッチ３０Ａ−１及び光スイッチ３０Ｂ−１を介して、予め定められたＯＮＵ２０−Ａ１に対向するＯＮＵ２０−Ｂ１に、光信号を一時蓄積することができる。ＯＮＵ２０−Ｂ１は、蓄積した光信号を、周期的なタイミングでＯＬＴ１０Ｂに接続する光スイッチ３０Ｂ−１を介してＯＬＴ１０Ｂに送信することができる。
【００３３】
ＯＬＴ１０Ｂは、光信号を上位ネットワークに転送する。転送された光信号は、ＯＬＴ１０Ｂ及び接続経路を周期的なタイミングでＯＮＵ２０−Ｂ１〜ＯＮＵ２０−Ｂ８接続する光スイッチ３０Ｂ−１を介して、宛先とするいずれかのＯＮＵ２０−Ｂ１〜ＯＮＵ２０−Ｂ８のＯＮＵへ光信号を送信する。これにより、ＯＬＴ１０Ｂを介した光信号は、接続経路を周期的なタイミングでＯＮＵ２０−Ｂ１〜ＯＮＵ２０−Ｂ８と接続される光スイッチ３０Ｂ−１を介して、宛先とするいずれかのＯＮＵ２０−Ｂ１〜ＯＮＵ２０−Ｂ８のＯＮＵへ光信号を送信することが可能となる。
【００３４】
図３、図４では、本実施形態に係るパケットの折り返しの機能を有するＯＮＵ折り返し部５０の構成の一例について詳しく示す。例えば、図３において、ＯＮＵ２０−Ａ１は、ＯＬＴ１０Ｂを宛先として光信号を送信する。この場合、予め定められたＯＮＵ２０−Ａ１に対向するＯＮＵ２０−Ｂ１は、ＯＮＵ折り返し部５０を用いて、ＯＮＵ２０−Ａ１からの光信号をＯＬＴ１０Ｂへ転送する。図３では、ＯＬＴ１０Ｂ行きであることをＭＡＣアドレスから判断する。通常だと、当該ＯＮＵ行きのでないＭＡＣパケットは廃棄するが、折り返しのため、上り待ちキューに転送する。図４では、受信ＯＮＵ切替部５５の周期と同期するかたちで折り返しを行なう。
【００３５】
図３では、ＯＮＵ折り返し部５０は、パケット受信部５１、ＭＡＣ確認部５２、パケット転送部（不図示）、及び上りパケット蓄積部５３を備える。パケット受信部５１は、パケットを受信し、パケットの光信号を電気信号に変換してＭＡＣ確認部５２に出力する。
【００３６】
ＭＡＣ確認部５２は、ＯＬＴとＯＮＵ間で交換されるフレームに配置されたＭＡＣアドレスに基づき、パケットの宛先がＯＬＴ１０Ｂ宛のパケットであるか確認する。ＭＡＣ確認部５２は、パケットがＯＬＴ１０Ｂ宛のパケットであれば上りパケット蓄積部５３に転送し、パケットがＯＮＵ２０−Ｂ１宛のパケットであればそのパケットを受け取る。
上りパケット蓄積部５３は、ＭＡＣ確認部５２から転送されたＯＬＴ１０Ｂ宛のパケットを蓄積する。パケット転送部（不図示）は、蓄積されたパケットの電気信号を光信号に変換してＯＬＴ１０Ｂへ転送する。例えば、上りパケット蓄積部５３で蓄積されるパケットは、上りパケット蓄積部５３に到着した順に順次蓄積され蓄積後、順次宛先とするＯＬＴ１０Ｂへパケットを転送してもよい。
【００３７】
図４では、ＯＮＵ折り返し部５０は、光信号受信部５４、受信ＯＮＵ切替部５５、光信号転送部（不図示）及び折り返し信号蓄積部５６を備える。
光信号受信部５４は、光信号を受信し、光信号を電気信号に変換して受信ＯＮＵ切替部５５に送信する。受信ＯＮＵ切替部５５は、変換した電気信号を折り返し信号蓄積部５６に電気信号を出力する。
折り返し信号蓄積部５６は、受信ＯＮＵ切替部５５からの電気信号を蓄積する。光信号転送部は、電気信号から光信号に変換して、ＯＬＴ１０Ｂへ光信号を転送する。
【００３８】
（第２の実施形態）
図５は本発明の第２の実施形態を説明する図である。図５では、全ての隣接ＯＮＵ間に光スイッチによる転送リンクを備えている。また、ＯＬＴ群をまたがったところにも本光スイッチが設置されている。これにより、複数のＯＮＵを経由してＯＮＵからＯＬＴへの通信パスを確立させることができる。
【００３９】
第２の実施形態において、図５では、光アクセスネットワークシステムは、ＯＮＵ２０―Ａ１、ＯＮＵ２０―Ａ２、ＯＮＵ２０―Ｂ１、ＯＮＵ２０―Ｂ２を備え、ＯＮＵに互いに対応する光スイッチ３０Ａ―１、光スイッチ３０Ａ―２、転送用光スイッチとして機能する光スイッチ３０Ｂ―１、光スイッチ３０Ｂ―２とを備えている。また、光アクセスネットワークシステムは、ＯＮＵ２０―Ａ１、ＯＮＵ２０―Ａ２及びＯＬＴ１０Ａが接続されているネットワークと、ＯＮＵ２０―Ｂ１、ＯＮＵ２０―Ｂ２及びＯＬＴ１０Ｂが接続されているネットワークを備えている。
【００４０】
例えば、図５において、ＯＮＵ２０−Ａ１は、ネットワーク内であるＯＬＴ１０Ａを宛先として光信号を送信する。ここで、ＯＬＴ１０Ａが故障していた場合、ＯＮＵ２０−Ａ１は、光スイッチ３０Ａ−１及び光スイッチ３０Ａ−２を介してＯＮＵ２０―Ａ１に隣接したＯＮＵ２０−Ａ２に光信号を転送する。また、ＯＮＵ２０−Ａ２は、光スイッチ３０Ｂ−１及び隣接したＯＮＵ２０−Ｂ１を介し光信号をＯＬＴ１０Ｂに転送することができる。
【００４１】
第１の実施形態及び第２の実施形態では、ＯＬＴ１０Ａが故障した場合、正常なＯＬＴ１０Ｂの配下のＯＮＵに１回転送している例を示した。当然、ＯＮＵをＫ回中継することも可能である。これは、無線ネットワークにおける基地局ダウン時に、アドホックモードで正常な基地局に接続すると同様、加入者に中継してもらいながら遠方のＯＬＴ１０Ｂに接続することが可能である。このことからわかるように、単純にＯＬＴの２重帰局と比べ、単純なＯＬＴ折り返し機能のみで信頼性は大幅に上がる。
【００４２】
（第３の実施形態）
図６は第３の実施形態を説明する図である。救済用の救済用ＯＬＴ６０を１つ備え、そこから全てのＯＮＵに光スイッチを経由して接続している。第３の実施形態において、図６では、光アクセスネットワークシステムは、ＯＮＵ２０―Ａ１、ＯＮＵ２０―Ａ２、ＯＮＵ２０―Ｂ１、ＯＮＵ２０―Ｂ２を備え、ＯＮＵに互いに対応する光スイッチ３０Ａ―１、光スイッチ３０Ａ―２、光スイッチ３０Ｂ―１、光スイッチ３０Ｂ―２とを備えている。ここで、各々の光スイッチは、１：ｎセレクタ７０を介し救済用ＯＬＴ６０に接続されている。また、光アクセスネットワークシステムは、ＯＮＵ２０―Ａ１、ＯＮＵ２０―Ａ２及びＯＬＴ１０Ａが接続されているネットワークと、ＯＮＵ２０―Ｂ１、ＯＮＵ２０―Ｂ２及びＯＬＴ１０Ｂが接続されているネットワークを備えている。
【００４３】
例えば、図６において、ＯＮＵ２０−Ａ１は、ネットワーク内であるＯＬＴ１０Ａを宛先として光信号を送信する。ここで、ＯＬＴ１０Ａが故障していた場合、光スイッチ３０Ａ−１は、ＯＬＴ１０Ａから１：ｎセレクタ７０を介して救済用ＯＬＴ６０へ伝送経路を切り替えることで、ＯＬＴ１０Ａが故障しても、救済用ＯＬＴ６０が通信を継続することができる。
【産業上の利用可能性】
【００４４】
本発明は、情報通信産業に適用することができる。
【符号の説明】
【００４５】
１０Ａ、１０Ｂ：ＯＬＴ
２０、２０−Ａ１、２０−Ａ２、２０−Ｂ１、２０−Ｂ２：ＯＮＵ
３０Ａ−１、３０Ａ−２、３０Ｂ−１、３０Ｂ−２：光スイッチ
４１Ａ、４１Ｂ、４２Ａ−１、４２Ａ−２、４２Ｂ−１、４２Ｂ−２：スプリッタ
５０：ＯＮＵ折り返し部
５１：パケット受信部
５２：ＭＡＣ確認部
５３：上りパケット蓄積部
５４：光信号受信部
５５：受信ＯＮＵ切替部
５６：折り返し信号蓄積部
６０：救済用ＯＬＴ
７０：１：ｎセレクタ
【要約】
【課題】本発明は、故障したＯＬＴの復旧を待たずに光スイッチを切り替えることで光信号の通信を中断させることなく光信号の伝送を維持することが可能な光アクセスネットワークシステム、転送側ＯＮＵ及び伝送経路切替方法を提供することを目的とする。
【解決手段】本発明は、光スイッチを介して１台の第１のＯＬＴに光信号を送信し、第１群に所属する複数の送信側ＯＮＵと、複数の送信側ＯＮＵが送信した光信号を光スイッチを介して受信する１台の第１のＯＬＴと、伝送経路へ切り替えることで、第１群に所属する複数の送信側ＯＮＵのうちいずれか１台の送信側ＯＮＵが送信した光信号を１台の転送側ＯＮＵに伝送する光スイッチと、光スイッチから伝送され、第１群に所属する送信側ＯＮＵから受信した光信号を第２のＯＬＴへ転送する第２群に所属する転送側ＯＮＵと、第２群に所属する転送側ＯＮＵが転送した光信号を受信する第２のＯＬＴとを備える。
【選択図】図１【図１】
0005588548.tif 000002
【図２】
0005588548.tif 000003
【図３】
0005588548.tif 000004
【図４】
0005588548.tif 000005
【図５】
0005588548.tif 000006
【図６】
0005588548.tif 000007
【図７】
0005588548.tif 000008